(57)【特許請求の範囲】
【請求項１】
冷却水導入口及び冷却水排出口を備えた中空状のシェルと、前記シェル内部に配置されＥＧＲガスが通過する複数のチューブとを備えたＥＧＲクーラにおいて、
前記冷却水導入口に取り付けられシェル内に冷却水を導入するアダプタ部材を備え、
前記アダプタ部材は、アダプタ部材内部から前記シェル内にまで延設され、前記冷却水導入口から前記シェル内に導入される冷却水の流入方向を調整する案内板を一体成形にて備えることを特徴とするＥＧＲクーラ。
【請求項２】
前記案内板は２枚以上を配置されていることを特徴とする請求項１記載のＥＧＲクーラ。
【請求項３】
前記案内板は、前記案内板の延設方向に沿って突出して配置される凸条部を備えることを特徴とする請求項１又は２記載のＥＧＲクーラ。
【請求項４】
前記案内板は、前記案内板を挟んで冷却水が流通可能な連通スリット部を前記案内板の延設方向に沿って備えることを特徴とする請求項１又は２記載のＥＧＲクーラ。
【請求項５】
前記案内板は、前記案内板を挟んで冷却水が流通可能な連通スリット部を前記案内板の延設方向と交叉する方向に沿って備えることを特徴とする請求項１又は２記載のＥＧＲクーラ。
【請求項６】
前記アダプタ部材の案内板はアダプタ本体に片持ち状態で接合されていることを特徴とする請求項１乃至５のいずれか記載のＥＧＲクーラ。
【請求項７】
前記案内板は、その先端を前記チューブに近接して配置されることを特徴とする請求項１乃至６のいずれか記載のＥＧＲクーラ。
【発明の詳細な説明】
【技術分野】
【０００１】
本発明はＥＧＲクーラに係り、冷却水導入口及び冷却水排出口を備えた中空状のシェルと、前記シェル内部に配置されＥＧＲガスが通過する複数のチューブとを備えたＥＧＲクーラに関する。
【背景技術】
【０００２】
従来、ＥＧＲクーラは、冷却水導入口及び冷却水排出口を備えた中空状のシェルと、前記シェル内部に配置されＥＧＲガスが通過する複数のチューブとを備えるように構成されている。このようなＥＧＲクーラは、シェルの上下面又は左右面から垂直方向に冷却水導入管を設置し、冷却水をシェル内に導入するようにしている。シェル内の冷却水は、冷却水導入口から冷却水排出口に向かって、チューブとチューブの間及びシェルとチューブの間を通って流れ、チューブ内に流入されるＥＧＲガスを冷却する。
【０００３】
このようなＥＧＲクーラでは、チューブとチューブとの間、及びシェルとチューブとの間に円滑に冷却水が流れ、熱交換が円滑に行えるよう様々な工夫がなされている。
特許文献１には、チューブ間のクリアランスを保つため、及び振動によるチューブ亀裂防止のためダボを形成し、このダボの配列・形状やチューブとシェルのクリアランスの調整をすることにより冷却水の流れを改善させるようにしたものが記載されている。
【０００４】
また、特許文献２には、ＥＧＲクーラのシェル垂直断面の中央位置に、シェルの長手方向に沿って延びる誘導部材が配置されており、シェル内へ供給された冷却水は、誘導部材によってシェルの垂直断面の外周方向へ誘導され、渦流や旋回流のような形態の流れを形成し、中心側から外周側へ至る範囲を全体的に流動し、これにより、冷却水がシェル内において局所的に滞留する個所、所謂淀み部が形成されるのを誘導部材によって極力阻止することができるものが記載されている。
【０００５】
また、特許文献３には、ＥＧＲガスが流れる複数のＥＧＲパイプと、ＥＧＲパイプを収容し内部を冷却水が流れる外周ケースとを有し、外周ケースは中間部の断面がほぼ円形であって、その両方の端部は中間部よりも径が拡大されており、かつ、ＥＧＲガスの入口側の端部には冷却水の入口管が、また、ＥＧＲガスの出口側の端部には出口管が外周ケースに対し接線方向に設け、これにより、冷却水 入口部分では、流れが均一となり、局部的な過熱個所の発生を防止することができるものが記載されている。
【０００６】
そして、特許文献４には、偏平チューブの平面の各部で淀みが生じがちな領域を除き、比較的冷却水の流通の速い流通領域のみに流通疎外用の多数の膨出部を互いに離間して偏平チューブの外面側に突出形成するものが記載されている。
【特許文献１】特開２００３−０９０６９３公報
【特許文献２】特開２００３−８３１７４公報
【特許文献３】特開２００５−２７３５１２公報
【特許文献４】特開２００４−１７７０６０公報
【発明の開示】
【発明が解決しようとする課題】
【０００７】
ところで、このようなＥＧＲクーラにおいて、冷却水は、シェル内を満遍なく流れることが理想である。図１２はこのようなＥＧＲクーラの構成の一例を示す模式図である。このＥＧＲクーラ２１０は、チューブ２１６を内蔵したシェル２１１の対角線上に冷却水導入口２１４と冷却水排出口２１５とを配置している。即ち、シェル２１１の下側面２１２の一方端（この例では右端）に冷却水導入口２１４を配置すると共に、上側面２１３の他方端（この例では左端）に冷却水排出口２１５を配置し、冷却水を下から入れて上から出し、冷却水が経路Ａに沿って流れるようにしている。
【０００８】
しかし、近年エンジンレイアウトの制限が多くなり、冷却水導入口及び冷却水排出口はこのように理想的に配置することは難しくなってきている。図１３及び図１４はレイアウト制限下におけるＥＧＲクーラを示す模式図である。
【０００９】
図１３に示すＥＧＲクーラ２２０は、シェル２２１の一方向の面、例えば上側面２２２に冷却水導入口２２４と冷却水排出口２２５とを配置したものである。この場合、冷却水は、シェル２２１の上部を経路Ｂに沿って流れやすくなり、シェル２２１の下部の領域Ｃには冷却水の淀みが発生しやすい。
【００１０】
また、図１４に示すＥＧＲクーラ２３０は、シェル２３１の下側面２３２に冷却水導入口２３４を配置し、シェル２３１の上側面２３３であって前記冷却水導入口２３４を配置した略直上の位置に冷却水排出口２３５を配置したものである。この場合には、冷却水導入口２３４から流入した冷却水は、そのまま上方に経路Ｄに沿って流れやすくなり、シェル２３１の片側の領域Ｅに冷却水の淀みが発生しやすい。
【００１１】
このようにシェル内に冷却水の淀みが発生すると、この冷却水の淀みの付近で局所的に沸騰が発生し、チューブが冷却水から露出して加熱されて膨張し、最悪の場合チューブに亀裂が発生することがある。しかし、上述した従来のＥＧＲクーラで採られた構成では予防することができない。
【００１２】
本発明は、係る問題点に鑑みてなされたものであり、ＥＧＲクーラに冷却水導入口及び冷却水排出口を理想的な位置に配置できない場合であっても、シェルの内部に冷却水を満遍なく流すことができ、局所的な沸騰を防止し、ひいてはチューブの亀裂発生を防止することができるＥＧＲクーラを提供することをその課題とする。
【課題を解決するための手段】
【００１３】
本発明において、前記課題が効果的に解決される手段は以下の通りである。
請求項１の発明は、冷却水導入口及び冷却水排出口を備えた中空状のシェルと、前記シェル内部に配置されＥＧＲガスが通過する複数のチューブとを備えたＥＧＲクーラにおいて、前記冷却水導入口に取り付けられシェル内に冷却水を導入するアダプタ部材を備え、前記アダプタ部材は、アダプタ部材内部から前記シェル内にまで延設され、前記冷却水導入口から前記シェル内に導入される冷却水の流入方向を調整する案内板を一体成形にて備えることを特徴とするＥＧＲクーラである。
【００１４】
請求項２の発明は、請求項１記載のＥＧＲクーラにおいて、前記案内板は２枚以上を配置されていることを特徴とする。
【００１５】
請求項３の発明は、請求項１又は２記載のＥＧＲクーラにおいて、前記案内板は、前記案内板の延設方向に沿って突出して配置される凸条部を備えることを特徴とする。
【００１６】
請求項４の発明は、請求項１又は２記載のＥＧＲクーラにおいて、前記案内板は、前記案内板を挟んで冷却水が流通可能な連通スリット部を前記案内板の延設方向に沿って備えることを特徴とする。
【００１７】
請求項５の発明は、請求項１又は２記載のＥＧＲクーラにおいて、前記案内板は、前記案内板を挟んで冷却水が流通可能な連通スリット部を前記案内板の延設方向と交叉する方向に沿って備えることを特徴とする。
【００１８】
請求項６の発明は、請求項１乃至５のいずれか記載のＥＧＲクーラにおいて、前記アダプタ部材の案内板はアダプタ本体に片持ち状態で接合されていることを特徴とする。
【００１９】
請求項７の発明は、請求項１乃至６のいずれか記載ＥＧＲクーラにおいて、前記案内板は、その先端を前記チューブに近接して配置されることを特徴とする。
【発明の効果】
【００２０】
請求項１の発明によれば、シェルの冷却水導入口には、案内板を備えるアダプタ部材を配置するようにしたから、アダプタ部材から流入する冷却水は案内板に案内され、シェルの隅部や、チューブに邪魔をされ冷却水の淀みが発生しやすい領域にも効率良く流れ、局所的な沸騰が防止され、ＥＧＲクーラの破損を防いでＥＧＲクーラの性能を最大限に引き出すことができる。また、案内板はアダプタ部材の内部に配置されるため、ＥＧＲクーラの外観形状を変更する必要がなく、ＥＧＲクーラを車両に搭載するに際して影響を与えない他、冷却水を最適な流れにして冷却効率を高めることができるので、冷却水の量を減らすことができ、冷却水ポンプへの負担を軽減させることができる。また、アダプタ部材と案内板とが一体に形成されているため、案内板へのアダプタ部材への取り付け作業の必要がない。
【００２１】
請求項２の発明によれば、アダプタ部には２枚以上の案内板を配置するようにしたから、ＥＧＲクーラが大形化しチューブの枚数が増加した場合に発生しがちな淀み個所に良好に冷却水を案内できる。
【００２２】
請求項３の発明によれば、案内板に延設方向に沿う凸条部を備えているので、冷却水は凸条部で整流されつつ案内されるので、冷却水を必要個所に効率良く案内できる。
【００２３】
請求項４の発明によれば、案内板に延設方向に沿う連通スリット部を形成したので、案内板で分割される冷却水の量を調整することができ、冷却水の案内状態を細かく調整できる。
【００２４】
請求項５の発明によれば、案内板に延設方向と交叉する方向に連通スリット部を形成したので、案内板で分割される冷却水の量を調整することができ、冷却水の案内状態を細かく調整できる。
【００２５】
請求項６の発明によれば、アダプタ部材をプレス加工で制作する際、案内板をアダプタ本体に片持ち状態で接合して形成できるので、案内板をアダプタ本体に接合する手間が省け、アダプタ部材を容易に作製することができる。
【００２６】
請求項７の発明によれば、案内板の先端を前記チューブに近接して配置するようにしたので、案内板の先端とチューブとの間隔を狭くでき、チューブ案内板によって分流された冷却水が混じり合うことがなく良好に必要個所に案内できる。
【発明を実施するための最良の形態】
【００２７】
以下、本発明の実施形態に係るＥＧＲクーラを図面に基づいて説明する。図１は本発明の第１実施態様に係るＥＧＲクーラの外観を示す斜視図、図２は図１に示したＥＧＲクーラの構造を示す図１中Ｆ−Ｆ線に相当する断面図である。
【００２８】
本例に係るＥＧＲクーラ３００は、図１に示すように、シェル３１０内にＥＧＲガスを流入させる複数のプレートタイプのチューブ３４０を配置して構成され、シェル３１０内に冷却水を流通させ、チューブ３４０内のＥＧＲガスを冷却する。なお、シェル３１０の両端に設けられ、ＥＧＲガスを案内するヘッダーは図示省略されている。
【００２９】
シェル３１０は、金属板をプレス加工して形成した２枚のコ字状プレート３１１，３１２を組み合わせて接合部３１３，３１４で接合し、下側面３１５、上側面３１６、一側面３１７、他側面３１８を備えた略四角筒状に形成されている。そして、コ字状プレート３１１，３１２の接合部３１３が形成された上側面３１６の長手方向の一端に冷却水導入口３１９を、他端に冷却水排出口（図示していない）を開設して冷却水導入口３１９から冷却水をシェル３１０内に流入し、冷却口排出口から熱交換をした冷却水を排出している。本例では、冷却水導入口３１９にはアダプタ部材３２０を、また、冷水排出口には配水管部材３３０を接続している。
【００３０】
シェル３１０内に配置されるチューブ３４０は、偏平にした中空部材３４１と、これらの中空部材３４０を空隙を隔てて配置するためのダボ３４２を備え、縦方向に並設される。
【００３１】
配水管部材３３０は、筒部３３１と、筒部３３１の一端に形成されシェル３１０に接続されるシェル側フランジ部３３２と、筒部３３１の他端に形成され排水パイプが連結される排水側フランジ部３３３とを備える。
【００３２】
次にアダプタ部材３２０について説明する。図３は図１に示したＥＧＲクーラのアダプタ部材を示すものであり、（ａ）は側面図、（ｂ）は底面図、図４は図１に示したＥＧＲクーラのアダプタ部材を示すものであり、（ａ）は斜視図、（ｂ）は正面図である。
【００３３】
アダプタ部材３２０は、冷却水が導入される導入側部３２１ａ及び前記シェル３１０への接続側のシェル側部３２１ｂを備えて湾曲形成された湾曲筒部３２１と、この湾曲筒部３２１の導入側部３２１ａに開設された穴部３２３の周囲に形成され、冷却水が導入される給水パイプが連結される給水フランジ部３２２とを備えている。また、シェル側部３２１ｂの他端にはアダプタ部材３２０をシェル３１０の冷却水導入口３１９の周囲に接続される接続端部３２４を備えている。
【００３４】
そして、本例では湾曲筒部３２１のシェル側部３２１ｂの内部には、案内板３２５が配置されている。案内板３２５は、アダプタ部材３２０内部から冷却水導入口３１９を挿通してシェル３１０内にまで延設され、その先端３２５ａが冷却水導入口３１９の近傍に配置されるチューブ３４０の上端３４０ａに近接して配置される。この例では、アダプタ部材３２０は、湾曲筒部３２１、給水フランジ部３２２、接続端部３２４、案内板３２５は一体に鋳造形成されている。
【００３５】
また、案内板３２５は、シェル３１０内に配置されたチューブ３４０間に満遍なく冷却水が流れるようその配置角度及び形状が調整されている。即ち、案内板３２５は、先端部３２５ａが基部３２５ｂの延設方向から角度θだけ折曲形成されており、穴部３２３からシェル３１０内に上側面３１６に対しやや斜め方向をなす流路Ｇに沿って流入する冷却水を流路Ｇ１、流路Ｇ２の２つの流路に分流する。そして、この例では、流路Ｇ１は案内板３２５の先端３２５ａとチューブ３４０の上端３４０ａにより屈曲され、図中配水管部材３３０が配置されている方向と逆の方向に曲げられる。また、流路Ｇ２は案内板３２５の先端３２５ａに案内され、図中配水管部材３３０側に向かう。
【００３６】
本例に係るＥＧＲクーラ３００は、このような構成を備えるため、アダプタ部材３２０に導入された冷却水は案内板３２５に案内され、シェル３１０の隅部や、チューブ３４０に邪魔をされ冷却水の淀みが発生しやすい領域にも効率良く流れ、局所的な沸騰が防止され、ＥＧＲクーラの破損を防いでＥＧＲクーラの性能を最大限に引き出すことができる。
【００３７】
発明者は上述したＥＧＲクーラ３００内における冷却水の速度分布を解析した。図５はＥＧＲクーラ内の冷却水速度の分布を示すものであり、（ａ）は比較例のＥＧＲクーラの解析結果示すグラフ、（ｂ）は本例に係るＥＧＲクーラの解析結果を示すグラフである。なお、比較例としては次のＥＧＲクーラ６００を用いた。図６は比較対象としたＥＧＲクーラの構成を示す断面図である。このＥＧＲクーラ６００は、アダプタ部材６２０に案内板を備えない他は本例に係るＥＧＲクーラ３００と同様の構成を備える。即ち、ＥＧＲクーラ６００は、前記ＥＧＲクーラ３００と同一のシェル３１０と、配水管部材３３０とチューブ３４０とを備え、シェル３１０に案内板が配置されていないアダプタ部材６２０を配置したものである。
【００３８】
解析の結果、比較例のＥＧＲクーラ６００では、図５（ａ）に示すように冷却水の流れが一方向に偏るため、図５（ｃ）中のＡ−Ａ断面（図６中の領域Ｈ）と同Ｆ−Ｆ断面（図６中の領域Ｋ）に淀みが発生しているのに対して、本例のＥＧＲクーラ３００では、整流板により、流れを分割し必要方向に冷却水を分配したため、図５（ｂ）に示すように、同Ａ−Ａ断面及び同Ｆ−Ｆ断面の淀みが改善されており良好な流速分布を示した。これにより、案内板の効果が確認できた。
【００３９】
本例に係るＥＧＲクーラ３００によれば、アダプタ部材３２０から流入する冷却水は案内板３２５に案内され、シェル３１０の隅部や、チューブ３４０に邪魔をされ冷却水の淀みが発生しやすい領域にも効率良く流れ、局所的な沸騰が防止され、ＥＧＲクーラ３００の破損を防いでＥＧＲクーラ３００の性能を最大限に引き出すことができる。また、本例に係る案内板３２５はアダプタ部材３２０の内部に配置されるため、ＥＧＲクーラ３００の外観形状を変更する必要がなく、ＥＧＲクーラを車両に搭載するに際して影響を与えない他、冷却水を最適な流れにして冷却効率を高めることができるので、冷却水の量を減らすことができ、冷却水ポンプへの負担を軽減させることができる。
【００４０】
次に本発明の第２実施形態に係るＥＧＲクーラ４００について説明する。図７は本発明の第２実施態様に係るＥＧＲクーラの図１中のＦ−Ｆ線に相当する断面図である。本例に係るＥＧＲクーラ４００は、ＥＧＲクーラの高性能化を図るためにシェル４１０内に配置するチューブ４４０の数を増やし積層方向に大きくした場合に好適である。本例では、冷却水の導入量を増すため、アダプタ部材４２０のチューブ積層方向に向け冷却水導入口４２９を大きくすると共に、２枚の案内板４２５，４２６を配置したものである。
【００４１】
本例に係るＥＧＲクーラ４００によれば、大きくした冷却水導入口４２９から導入される大量の冷却水を２枚の案内板４２５，４２６で必要な方向に向け確実に分流できるので、多数のチューブ４４０を内蔵した大容量のシェル４１０に淀みなく冷却水を流通させることができる。なお、案内板の枚数は必要に応じて３枚以上とすることができる。
【００４２】
次に、本発明のＥＧＲクーラの変形例について説明する。図８は本発明の第３実施態様に係るＥＧＲクーラのアダプタ部材を示す一部破断して示す正面図である。本例は、ＥＧＲクーラにアダプタ部材５１０を配置するものであり、アダプタ部材５１０は、湾曲筒部５１１、給水フランジ部５１２、接続端部５１４及び案内板５１５を備え、案内板５１５には、この案内板５１５の延設方向に沿って突出して配置される複数本の凸条部５１６を備えるものとしている。本例によれば、案内板５１５に凸条部５１６を備えているので、冷却水は案内板５１５の凸条部５１６で整流されつつ案内され、冷却水を必要個所に効率良く案内できる。
【００４３】
図９は本発明の第４実施態様に係るＥＧＲクーラのアダプタ部材を示す一部破断して示す正面図である。本例は、ＥＧＲクーラにアダプタ部材５２０を配置するものであり、アダプタ部材５２０は、湾曲筒部５２１、給水フランジ部５２２、接続端部５２４及び案内板５２５を備え、案内板５２５には、この案内板５２５を挟んで冷却水が流通可能な連通スリット部５２６を案内板５２５の延設方向に沿って複数備えるものとしている。本例によれば、案内板５２５に延設方向に沿う連通スリット部５２６を形成したので、案内板５２５で分割される冷却水の量を調整することができ、冷却水の案内状態を細かく調整できる。なお、連通スリット部の本数、大きさなどは、使用するＥＧＲクーラの状態に応じて適宜変更することができる。
【００４４】
図１０は本発明の第５実施態様に係るＥＧＲクーラのアダプタ部材を示す一部破断して示す正面図である。本例は、ＥＧＲクーラにアダプタ部材５３０を配置するものであり、アダプタ部材５３０は、湾曲筒部５３１、給水フランジ部５３２、接続端部５３４及び案内板５３５を備え、案内板５３５には、この案内板５３５を挟んで冷却水が流通可能な連通スリット部５３６を案内板５３５の延設方向に直交する方向に複数備えるものとしている。本例によれば、案内板５３５の延設方向に直交する連通スリット部５３６を形成したので、案内板５３５で分割される冷却水の量を調整することができ、冷却水の案内状態を細かく調整できる。なお、連通スリット部の本数、大きさ、配置角度などは、使用するＥＧＲクーラの状態に応じて適宜変更することができる。
【００４５】
図１１は本発明の第６実施態様に係るＥＧＲクーラのアダプタ部材を示す横断面図である。本例に係るアダプタ部材５４０は、板金のプレス加工で筒状のアダプタ本体５４１及びこのアダプタ本体５４１に接合された案内板５４２を形成するものであり、案内板５４２はその基部５４２ａにおいてアダプタ本体５４１に片持ち状態で接合されているものである。本例によれば、アダプタ部材５４０の製造に際して案内板５４２をアダプタ本体５４１に接合する手間が省け、アダプタ部材５４０を容易に作製することができる。このように案内板をアダプタ本体に片持ちで接合することは、アダプタ部材をプレス加工で作成する場合だけではなく、アダプタ部材を鋳造で製造する場合にも適用できる。
【００４６】
なお、上記例では、ＥＧＲクーラとして四角筒状シェル内に複数の偏平プレートタイプのチューブを並列に配置したタイプを例に説明したが、ＥＧＲクーラとして円筒形熱交換器胴内に複数の伝熱管を配設した所謂シェルアンドチューブ型のものにも適用できる。
【図面の簡単な説明】
【００４７】
【図１】本発明の第１実施態様に係るＥＧＲクーラの外観を示す斜視図である。
【図２】図１に示したＥＧＲクーラの構造を示す図１中Ｆ−Ｆ線に相当する断面図である。
【図３】図１に示したＥＧＲクーラのアダプタ部材を示すものであり、（ａ）は側面図、（ｂ）は底面図である。
【図４】図１に示したＥＧＲクーラのアダプタ部材を示すものであり、（ａ）は斜視図、（ｂ）は正面図である。
【図５】図１に示したＥＧＲクーラの冷却水速度の分布を示すものであり、（ａ）は比較対象のＥＧＲクーラの解析結果示すグラフ、（ｂ）は本例に係るＥＧＲクーラの解析結果を示すグラフである。
【図６】比較対象としたＥＧＲクーラの構成を示す断面図である。
【図７】本発明の第２実施態様に係るＥＧＲクーラの図１中のＧ−Ｇ線に相当する断面図である。
【図８】本発明の第３実施態様に係るＥＧＲクーラのアダプタ部材を示す一部破断して示す正面図である。
【図９】本発明の第４実施態様に係るＥＧＲクーラのアダプタ部材を示す一部破断して示す正面図である。
【図１０】本発明の第５実施態様に係るＥＧＲクーラのアダプタ部材を示す一部破断して示す正面図である。
【図１１】本発明の第６実施態様に係るＥＧＲクーラのアダプタ部材を示す横断面図である。
【図１２】従来のＥＧＲクーラにおける冷却水の流れを示す断面図である。
【図１３】従来のＥＧＲクーラにおける冷却水の淀みの個所を示す模式断面図である。
【図１４】従来のＥＧＲクーラにおける冷却水の淀みの個所を示す模式断面図である。
【符号の説明】
【００４８】
３００  ＥＧＲクーラ
３１０  シェル
３１１，３１２  コ字状プレート
３１３，３１４  接合部
３１５  下側面
３１６  上側面
３１７  一側面
３１８  他側面
３１９  冷却水導入口
３２０  アダプタ部材
３２１  湾曲筒部
３２１ａ  導入側部
３２１ｂ  シェル側部
３２２  給水フランジ部
３２３  穴部
３２４  接続端部
３２５  案内板
３２５ａ  先端
３２５ｂ  基部
３３０  配水管部材
３３１  筒部
３３２  シェル側フランジ部
３３３  排水側フランジ部
３４０  チューブ
３４０ａ  上端
３４１  中空部材
３４２  ダボ
４００  ＥＧＲクーラ
４１０  シェル
４２０  アダプタ部材
４２５，４２６  案内板
４２９  冷却水導入口
４４０  チューブ
５１０  アダプタ部材
５１１  湾曲筒部
５１２  給水フランジ部
５１４  接続端部
５１５  案内板
５１６  凸条部
５２０  アダプタ部材
５２１  湾曲筒部
５２２  給水フランジ部
５２４  接続端部
５２５  案内板
５２６  連通スリット部
５３０  アダプタ部材
５３１  湾曲筒部
５３２  給水フランジ部
５３４  接続端部
５３５  案内板
５３６  連通スリット部
５４０  アダプタ部材
５４１  アダプタ本体
５４２  案内板
【図１】
0004938610.tif 000002
【図２】
0004938610.tif 000003
【図３】
0004938610.tif 000004
【図４】
0004938610.tif 000005
【図６】
0004938610.tif 000006
【図７】
0004938610.tif 000007
【図８】
0004938610.tif 000008
【図９】
0004938610.tif 000009
【図１０】
0004938610.tif 000010
【図１１】
0004938610.tif 000011
【図１２】
0004938610.tif 000012
【図１３】
0004938610.tif 000013
【図１４】
0004938610.tif 000014
【図５】
0004938610.tif 000015